(57)【要約】【課題】表示内容の切替時における切替表示対象をより分かりやすくすることの出来るアナログ電子時計を提供する。【解決手段】アナログ電子時計は、回動可能に設けられた指針と、指針による表示内容を切り替える場合に、切り替え後の表示対象の種別が時刻であるか時間であるかに応じて異なる早送り動作を行わせる指針早送り制御手段と、を備える。【選択図】図７
2019219427.tif 000002
【特許請求の範囲】
【請求項１】
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備え、
前記指針早送り制御手段は、前記切り替え後の表示対象の種別が時刻である場合及び時間である場合のうち何れか一方で、前記指針の早送り速度を前記早送り動作中に変化させることを特徴とするアナログ電子時計。
【請求項２】
前記指針早送り制御手段による前記早送り速度の変化には、前記早送り動作における前記指針の残りの移動量に基づいて前記早送り速度を変化させる変速動作が含まれることを特徴とする請求項１記載のアナログ電子時計。
【請求項３】
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備え、
前記指針早送り制御手段は、前記切り替え後の表示対象の種別が時刻である場合及び時間である場合のうち何れか一方で、前記指針を所定の初期位置に早送り移動させた後に、当該指針を前記切り替え後の表示内容に対応する位置へ早送り移動させる前記早送り動作を行わせることを特徴とするアナログ電子時計。
【請求項４】
前記指針早送り制御手段は、前記切り替え後の表示対象の種別が時間である場合には、前記指針を所定の初期位置に早送り移動させた後に、当該指針を前記切り替え後の表示内容に対応する位置へ早送り移動させる前記早送り動作を行わせることを特徴とする請求項３記載のアナログ電子時計。
【請求項５】
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備え、
前記指針は、複数設けられて各々異なる単位時間ごとの表示を行うように定められ、
前記指針早送り制御手段は、前記早送り動作において、前記複数の指針のうち少なくとも２つを前記単位時間の時間比に従った動作間隔で連動して早送り移動させる
ことを特徴とするアナログ電子時計。
【請求項６】
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備え、
前記指針は、複数設けられて各々異なる単位時間ごとの表示を行うように定められ、
前記指針早送り制御手段は、前記早送り動作において、前記切り替え後の表示対象の種別が時刻である場合及び時間である場合のうち何れか一方で、前記複数の指針のうち少なくとも２本を前記単位時間の時間比に従った動作間隔で連動して早送り移動させ、他方では、前記複数の指針を各々独立に前記切り替え後の表示内容に対応する位置に早送り移動させる
ことを特徴とするアナログ電子時計。
【請求項７】
前記指針早送り制御手段は、前記早送り動作において前記少なくとも２本の指針を連動して早送り移動させない場合には、当該少なくとも２本の指針の早送り速度を前記早送り動作中に変化させ、前記少なくとも２本の指針に連動して早送り動作を行わせる場合には、当該少なくとも２本の指針の早送り速度を前記早送り動作中に変化させないことを特徴とする請求項６記載のアナログ電子時計。
【請求項８】
前記指針早送り制御手段は、前記早送り動作において、最短時間で前記指針を前記切り替え後の表示内容に対応する位置に移動させることの出来る回転方向に前記指針を回動させることを特徴とする請求項１〜７の何れか一項に記載のアナログ電子時計。
【請求項９】
ユーザ操作を受け付ける操作受付手段を備え、
前記指針早送り制御手段は、前記操作受付手段への所定の入力操作に応じて表示対象を切り替える
ことを特徴とする請求項１〜８の何れか一項に記載のアナログ電子時計。
【請求項１０】
回動可能に設けられた指針を備えたアナログ電子時計の指針早送り制御方法であって、
前記指針による表示内容を切り替える場合に、当該切り替え後の表示対象の種別が時刻であるか時間であるかに応じて異なる早送り動作を行わせる指針早送りステップを含み、
前記指針早送りステップでは、前記切り替え後の表示対象の種別が時刻である場合及び時間である場合のうち何れか一方で、前記指針の早送り速度を前記早送り動作中に変化させることを特徴とする指針早送り制御方法。
【発明の詳細な説明】
【技術分野】
【０００１】
この発明は、指針を用いて時刻の表示を行うアナログ電子時計及び指針早送り制御方法に関する。
【背景技術】
【０００２】
従来、電気的に動作するステッピングモータを用いて複数の指針を回動させることで時刻の表示を行うアナログ電子時計がある。このようなアナログ電子時計では、指針により指し示すことの出来る内容が限られるので、現在位置における時刻に限らず、世界の各地における時刻の表示、ストップウォッチ機能やタイマ機能などの他の機能に係る時間の表示や、センサなどが計測した値に基づく表示など、複数の表示対象を切り替えて表示させることが可能な多機能時計がある。
【０００３】
多機能時計では、指針により何れの機能に係る表示が行われているのか分かりづらいという問題がある。そこで、従来、指針に特定の動作をさせたり、複数の指針を特定の位置関係で配置させたりすることにより、特定の状況を報知する技術がある（例えば、特許文献１、２）。また、時刻を表示する時刻指針に加えてモード指針を設け、当該モード指針により何れの機能に係る表示が行われているかを指し示させる技術がある。更に、時刻指針の一つをモード指針として用いることで、指針やステッピングモータを増やさずに何れの機能に係る表示を行うかを一時的に表示させる技術がある（特許文献３）。
【先行技術文献】
【特許文献】
【０００４】
【特許文献１】特開２００４−６１４２３号公報
【特許文献２】特開２０１１−２２０７２５号公報
【特許文献３】特開２００４−２２６３５０号公報
【発明の概要】
【発明が解決しようとする課題】
【０００５】
しかしながら、別途設けられたモード指針は、時刻指針より小さかったり、時刻指針により覆い隠されたりして見づらいことが多いという課題がある。一方で、時刻指針で一時的に機能の選択に係る表示を行わせると、その間選択された当該機能に係る表示に切り替えることが出来ないという課題がある。
【０００６】
この発明の目的は、表示内容の切替時における切替表示対象をより分かりやすくすることのできるアナログ電子時計及び指針早送り制御方法を提供することにある。
【課題を解決するための手段】
【０００７】
上記目的を達成するため、本発明は、
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備え、
前記指針早送り制御手段は、前記切り替え後の表示対象の種別が時刻である場合及び時間である場合のうち何れか一方で、前記指針の早送り速度を前記早送り動作中に変化させることを特徴とするアナログ電子時計である。
【発明の効果】
【０００８】
本発明に従うと、アナログ電子時計において表示内容の切替時における切替表示対象をより分かりやすくすることが出来るという効果がある。
【図面の簡単な説明】
【０００９】
【図１】本発明の実施形態のアナログ電子時計を示す正面図である。
【図２】アナログ電子時計の機能構成を示すブロック図である。
【図３】第１実施形態のアナログ電子時計における表示切替処理の制御手順を示すフローチャートである。
【図４】表示切替処理で呼び出されるホーム時刻表示処理及び世界時計表示処理の制御手順を示すフローチャートである。
【図５】表示切替処理で呼び出されるストップウォッチ表示処理及びタイマ表示処理の制御手順を示すフローチャートである。
【図６】表示切替処理で呼び出されるアラーム表示処理の制御手順を示すフローチャートである。
【図７】指針早送り処理、及び第１実施形態のアナログ電子時計において指針早送り処理で呼び出される時刻早送り処理の制御手順を示すフローチャートである。
【図８】第１実施形態のアナログ電子時計において指針早送り処理で呼び出される時間早送り処理の制御手順を示すフローチャートである。
【図９】第２実施形態のアナログ電子時計において指針早送り処理で呼び出される時間早送り処理の制御手順を示すフローチャートである。
【図１０】第３実施形態のアナログ電子時計において指針早送り処理で呼び出される時刻早送り処理の制御手順を示すフローチャートである。
【図１１】第３実施形態のアナログ電子時計において指針早送り処理で呼び出される時間早送り処理の制御手順を示すフローチャートである。
【図１２】第４実施形態のアナログ電子時計において指針早送り処理で呼び出される時刻早送り処理の制御手順を示すフローチャートである。
【発明を実施するための形態】
【００１０】
以下、本発明の実施の形態を図面に基づいて説明する。
【００１１】
［第１実施形態］
図１は、本発明の電子時計の第１実施形態のアナログ電子時計を示す正面図である。
【００１２】
本実施形態のアナログ電子時計１は、回転円板である日車１４を含む５本の指針により日時を表示可能な電子腕時計である。このアナログ電子時計１では、ケーシング６と、文字盤７と、前面を覆う図示略の風防ガラスとの間に、時針１１と、分針１２と、秒針１３と、モード指針１５とが設けられている。また、日車１４は、文字盤７の下方（風防ガラス側（露出面側）と反対側）に文字盤７と略平行に設けられている。これらのうち、時針１１、分針１２、秒針１３及び日車１４は、文字盤７の中央部の同一軸を中心に回動可能に配置され、モード指針１５は、文字盤７の６時方向に設けられた小窓９の内側で回動可能に配置されている。ケーシング６の側面には、押しボタンスイッチＢ１、Ｂ２と、りゅうずＣ１とが設けられている。
【００１３】
小窓９には、円周上に等間隔で実行中の機能モード又は現在のホーム位置における曜日を示すための標識が設けられている。即ち、日曜日〜土曜日を示す各標識と、世界時計機能に係る標識「ＷＴ」、アラーム機能に係る標識「ＡＬ」、ストップウォッチ機能に係る標識「ＳＴ」及びタイマ機能に係る標識「ＴＲ」が設けられている。
【００１４】
日車１４は、円環状の回転円板であり、円周上に日付を表す「１」〜「３１」の標識（日付標識）が順番に等間隔で配列されている。日車１４が回転されることにより、文字盤７の３時方向に設けられた開口部８から一の日付標識が露出されて日付が示される。
【００１５】
押しボタンスイッチＢ１、Ｂ２は、ユーザにより押下されることで操作を受け付ける。りゅうずＣ１は、２段階の引き出し操作が可能であり、当該引き出し操作、引き出された状態での回転操作、及び、押し戻される操作が受け付けられる。
【００１６】
図２は、本実施形態のアナログ電子時計１の機能構成を示すブロック図である。
【００１７】
このアナログ電子時計１は、時針１１と、輪列機構３１を介して時針１１を回動させるステッピングモータ５１と、分針１２と、輪列機構３２を介して分針１２を回動させるステッピングモータ５２と、秒針１３と、輪列機構３３を介して秒針１３を回動させるステッピングモータ５３と、日車１４と、輪列機構３４を介して日車１４を回動させるステッピングモータ５４と、モード指針１５と、輪列機構３５を介してモード指針１５を回動させるステッピングモータ５５と、指針早送り制御手段としてのＣＰＵ４１（Central Processing Unit）と、ＲＯＭ４２（Read Only Memory）と、ＲＡＭ４３（Random Access Memory）と、発振回路４４と、分周回路４５と、計時回路４６と、操作受付手段としての操作部４７と、報知部４８と、駆動回路４９と、電源部５０などを備えている。
【００１８】
ＣＰＵ４１は、各種演算処理を行い、また、アナログ電子時計１の全体動作を制御統括する。また、ＣＰＵ４１は、駆動回路４９に対して適宜なタイミングで時針１１、分針１２、秒針１３、日車１４、及びモード指針１５（以降、一部又は全部をまとめて指針１１〜１５などと記す）をそれぞれ回動させる制御信号を出力する。
【００１９】
ＲＯＭ４２は、ＣＰＵ４１が実行する各種プログラムや、各種プログラムで利用される初期設定データを格納する。これらのプログラムや初期設定データは、アナログ電子時計１の起動時、及び必要に応じて随時ＣＰＵ４１により読み出されて実行、利用される。
なお、ＲＯＭ４２は、書き換え可能なフラッシュメモリやＥＥＰＲＯＭ（Electrically Erasable and Programmable Read Only Memory）といった種々の不揮発性メモリであっても良い。
【００２０】
ＲＡＭ４３は、ＣＰＵ４１に作業用のメモリ空間を提供し、一時データを記憶する。ＲＡＭ４３に記憶される一時データには、各機能に係る設定データや履歴データなどが含まれる。例えば、ホーム時刻表示機能（基本動作）や世界時計機能に係る一時データとしては、各時計機能で求められる地方時の設定情報、即ち、タイムゾーンや夏時間の実施情報、及びこれらの設定情報に基づいて計時回路４６が計時する日時から換算された現地時刻（地方時）が含まれる。ストップウォッチ機能に係る一時データとしては、実行中に計測されたラップタイムやスプリットタイム、及び過去の計測時間の履歴などが含まれる。また、タイマ機能に係る一時データとしては、タイマ計測の実行時に計数される設定時間の情報や、計数の途中で中断された場合の当該中断時点での残り時間の情報が含まれる。また、アラーム機能に係る一時データとしては、アラーム設定時刻及びアラーム動作のオンオフに係る設定が含まれる。
【００２１】
発振回路４４は、所定の周波数信号を生成して分周回路４５に出力する。分周回路４５は、発振回路４４から入力された周波数信号を分周し、ＣＰＵ４１からの制御信号により設定された周波数の信号を生成してＣＰＵ４１に出力する。また、分周回路４５は、予め定められた周波数信号（例えば、１秒信号）を生成して計時回路４６に出力する。計時回路４６は、入力された周波数信号をカウントして日時を計数するカウンタである。或いは、計時回路４６は、ＣＰＵ４１によりソフトウェア的に計数された日時を記憶するＤＲＡＭなどのメモリであっても良い。
【００２２】
操作部４７は、外部からのユーザによる操作（ユーザ操作）を受け付け、電気信号に変換して入力信号としてＣＰＵ４１に出力する。この操作部４７には、押しボタンスイッチＢ１、Ｂ２、及びりゅうずＣ１が含まれる。ユーザは、これら押しボタンスイッチＢ１、Ｂ２及びりゅうずＣ１への入力操作により、現在時刻を修正したり、世界各地の現地時刻（地方時）を表示させたり、或いは、アラーム機能、ストップウォッチ機能やタイマ機能の各機能に係る動作を行わせたりすることが出来る。
【００２３】
報知部４８は、ユーザに対して所定の報知動作を行う。所定の報知動作としては、例えば、ブザー音の発生、振動の発生やランプの点灯（点滅）動作などが挙げられる。報知部４８は、これらの動作に対応する構成のうち一又は複数を有する。例えば、ブザー音の発生には、両端に電極が設けられた圧電素子と振動板とが用いられる。振動の発生には、例えば、錘が設けられた回転モータが用いられる。また、ランプの点灯には、例えば、ＬＥＤが用いられる。
【００２４】
電源部５０は、ＣＰＵ４１に対し、動作に必要な電力を供給する。この電源部５０は、特には限られないが、例えば、ソーラパネルと二次電池とを組み合わせて長期的且つ安定的な電力供給を可能としたものである。また、電源部５０から供給された電力は、ＣＰＵ４１により他の各部に供給される。
【００２５】
ステッピングモータ５１〜５５は、それぞれ駆動回路４９から入力される駆動パルスの電圧波形に基づいてステップ駆動されて、複数設けられた指針１１〜１５をそれぞれ独立に正転方向（時間、時刻が進む方向）又は逆転方向（時間、時刻が戻る方向）に所定の角度ずつ回転移動させることが可能となっている。これらのステッピングモータ５１〜５５は、ここではそれぞれ正転方向に最速で６４ｐｐｓ（pulse per second）の駆動パルスにより駆動動作が可能であり、逆転方向に最速で３２ｐｐｓの駆動パルスにより駆動動作が可能である。
【００２６】
駆動回路４９は、ＣＰＵ４１から出力された指針１１〜１５の動作に係る制御信号に基づいて、ステッピングモータ５１〜５５に各々設定されたパルス幅の駆動パルスを出力する。この駆動回路４９は、複数のステッピングモータに対して同時に駆動パルスを出力しないように構成されている。即ち、同時に複数の指針に対する運針命令が入力された場合には、駆動回路４９は、運針対象となる指針に予め設定された優先度に応じて各ステッピングモータに対して順番に駆動パルスを出力する。
【００２７】
本実施形態のアナログ電子時計１では、ステッピングモータ５１〜５５が１ステップ駆動されるごとに、時針１１及び分針１２が１度回転し、秒針１３及びモード指針１５が６度回転し、また、日車１４が１／１２４度（３６０／（３１×１４４０）度）回転するように輪列機構３１〜３５が構成されている。従って、通常の時刻表示モードでは、秒針１３がステッピングモータ５３への駆動パルスの入力間隔（単位時間）に基づいて１秒（秒針１３の単位時間）ごとに１ステップ回転し、分針１２が当該秒針１３の移動に連動して１秒桁が「０」となるタイミングで１０秒（分針１２の単位時間）ごと（秒針１３の動作１０ステップごと）に１ステップ回転し（時間比で１：１０）、時針１１が分針１２の移動に連動して１分桁が偶数となるタイミングで２分（時針１１の単位時間）ごと（分針１２の動作１２ステップごと）に１ステップ回転する（時間比で１：１２）ように、動作制御（連動動作）がなされる。日車１４は、日付の変わり目で、即ち、時針１１が１２時の方向を指し示すタイミングで１回おきに、早送りで１４４０ステップ回転動作して表示が１日分変化する。
【００２８】
ここでは、指針位置として、秒針１３の位置は、０秒方向を位置「０」として、正転方向に順番に「１」〜「５９」として定められる。また、分針１２及び時針１１の位置は、それぞれ０分方向（０時方向）を位置「０」として、正転方向に順番に「１」〜「３５９」として定められる。また、分針１２及び時針１１が時刻を表示する場合に、当該分針１２及び時針１１の位置の組合せを示す位置（連動位置）は、０時０分を位置「０」として、時間の経過と共に１０秒間隔で１１時５９分５０秒まで「１」〜「４３１９」に定められ、現在の指針位置や、指針の早送り先の位置（指針移動先位置）は、これらの値を用いて管理される。
【００２９】
これらの輪列機構３１〜３５には、複数の歯車間にそれぞれ遊び（バックラッシュ）があり、回転方向を反転させた場合に、当該バックラッシュに応じたステップ数空回りが生じる。この空回りステップ数（バックラッシュステップ数）は、指針１１〜１５の各々について予め検査されて、ＲＯＭ４２などに記憶保持されている。なお、温度条件などによる遊び量の変化を考慮して、バックラッシュステップ数が若干多めに設定されても良い。
【００３０】
次に、本実施形態のアナログ電子時計１における指針１１〜１５を用いた表示動作について説明する。
本実施形態のアナログ電子時計１では、操作部４７へのユーザの入力操作、例えば、押しボタンスイッチＢ２の押下操作に応じて各機能（表示対象）が変更され、当該切り替えられた機能に係る表示内容に応じた位置（表示状態）へ各指針１１〜１５が早送りされることで当該指針１１〜１５による表示内容が切り替えられる。上述のように、アナログ電子時計１では、基本動作である現在位置（ホーム位置）の現地時刻（ホーム時刻）表示機能の他、世界時計機能、ストップウォッチ機能、タイマ機能及びアラーム機能が実行可能となっており、機能の切替と並行して、又は表示内容の変更後に各機能に係る動作制御プログラムが起動されて各機能に移行する。
【００３１】
例えば、ホーム時刻表示機能や世界時計機能において、りゅうずＣ１が２段階引き出されて回転動作されることにより、現在位置や世界時計位置の変更動作がなされる。
また、ストップウォッチ機能において、押しボタンスイッチＢ１が押下されることで、時間の計測が開始及び停止され、当該開始タイミングから停止タイミングまでの間（操作に応じて定められるタイミング間）の経過時間が計数される。
これらの変更された設定や計数された経過時間の履歴などは、適宜ＲＡＭ４３に記憶され、他の機能に変更後、再度これらの機能に切り替えられた場合や、当該機能の中で呼び出された場合に、ＲＡＭ４３から読み出して表示させることが出来る。
【００３２】
図３は、本実施形態のアナログ電子時計１における表示切替処理のＣＰＵ４１による制御手順を示すフローチャートである。
この表示切替処理は、押しボタンスイッチＢ２の押下操作が検出されるごとに起動される。
【００３３】
表示切替処理が開始されると、ＣＰＵ４１は、選択された表示機能がホーム時刻表示であるか否かを判別する（ステップＳ１１）。ホーム時刻表示であると判別された場合には（ステップＳ１１で“ＹＥＳ”）、ＣＰＵ４１は、計時回路４６の計数する日時情報に基づいて現在位置における現在の曜日を取得する（ステップＳ１２）。ＣＰＵ４１は、駆動回路４９に制御信号を出力し、モード指針１５に当該曜日と対応する標識を指示させる（ステップＳ１３）。ＣＰＵ４１は、ホーム時刻表示処理を呼び出して実行し（ステップＳ１４）、その終了後、表示切替処理を終了する。
【００３４】
選択された表示機能がホーム時刻表示ではないと判別された場合には（ステップＳ１１で“ＮＯ”）、ＣＰＵ４１は、選択された表示機能が世界時計表示であるか否かを判別する（ステップＳ２１）。世界時計表示であると判別された場合には（ステップＳ２１で“ＹＥＳ”）、ＣＰＵ４１は、駆動回路４９に制御信号を出力し、モード指針１５に標識「ＷＴ」を指示させる（ステップＳ２２）。ＣＰＵ４１は、世界時計表示処理を呼び出して実行し（ステップＳ２３）、その終了後、表示切替処理を終了する。
【００３５】
選択された表示機能が世界時計表示ではないと判別された場合には（ステップＳ２１で “ＮＯ”）、ＣＰＵ４１は、選択された表示機能が時間計測表示（ストップウォッチ）であるか否かを判別する（ステップＳ３１）。時間計測表示であると判別された場合には（ステップＳ３１で“ＹＥＳ”）、ＣＰＵ４１は、駆動回路４９に制御信号を出力し、モード指針１５に標識「ＳＴ」を指示させる（ステップＳ３２）。ＣＰＵ４１は、ストップウォッチ表示処理を呼び出して実行し（ステップＳ３３）、その終了後、表示切替処理を終了する。
【００３６】
選択された表示機能が時間計測表示ではないと判別された場合には（ステップＳ３１で“ＮＯ”）、ＣＰＵ４１は、選択された表示機能がタイマ表示であるか否かを判別する（ステップＳ４１）。タイマ表示であると判別された場合には（ステップＳ４１で“ＹＥＳ”）、ＣＰＵ４１は、駆動回路４９に制御信号を出力し、モード指針１５に標識「ＴＲ」を指示させる（ステップＳ４２）。ＣＰＵ４１は、タイマ表示処理を呼び出して実行し（ステップＳ４３）、その終了後、表示切替処理を終了する。
【００３７】
選択された表示機能がタイマ表示ではないと判別された場合には（ステップＳ４１で“ＮＯ”）、ＣＰＵ４１は、選択された表示機能がアラーム表示であるか否かを判別する（ステップＳ５１）。アラーム表示であると判別された場合には（ステップＳ５１で“ＹＥＳ”）、ＣＰＵ４１は、駆動回路４９に制御信号を出力し、モード指針１５に標識「ＡＬ」を指示させる（ステップＳ５２）。ＣＰＵ４１は、アラーム表示処理を呼び出して実行し（ステップＳ５３）、その終了後、表示切替処理を終了する。
【００３８】
図４は、表示切替処理で呼び出されるホーム時刻表示処理及び世界時計表示処理のＣＰＵ４１による制御手順を示すフローチャートである。
【００３９】
図４（ａ）に示すように、ホーム時刻表示処理が呼び出されると、ＣＰＵ４１は、計時回路４６から現在時刻を取得して、現在位置における地方時（現地時刻）に変換する（ステップＳ１０１）。ＣＰＵ４１は、当該現地時刻に応じた指針移動先位置を算出して設定する（ステップＳ１０２）。即ち、秒針１３の移動先位置は、現在時刻の秒値に定められ、分針１２の移動先位置としては、現在の分値の６倍に秒値の十秒桁（秒値を１０で除した商）を加算した値が求められ、また、時針１１の移動先位置としては、現在の時桁の値を１２で除した剰余の３０倍と分値を２で除した商の値との和が求められる。ＣＰＵ４１は、早送りモードを「時刻」に設定し（ステップＳ１０３）、指針早送り処理を呼び出して実行する（ステップＳ１０４）。その終了後、ＣＰＵ４１は、ホーム時刻表示処理を終了して、処理を表示切替処理に戻す。
【００４０】
また、図４（ｂ）に示すように、世界時計表示処理が呼び出されると、ＣＰＵ４１は、ＲＡＭ４３から世界時計機能に係る地方時設定を取得する（ステップＳ２０１）。ＣＰＵ４１は、計時回路４６から取得された現在時刻と、地方時設定に含まれる時差情報とに基づいて選択されている位置における現地時刻を算出する（ステップＳ２０２）。ＣＰＵ４１は、現地時刻に応じた指針移動先位置を算出して設定する（ステップＳ２０３）。ＣＰＵ４１は、早送りモードを「時刻」に設定し（ステップＳ２０４）、指針早送り処理を呼び出して実行する（ステップＳ２０５）。その終了後、ＣＰＵ４１は、世界時計表示処理を終了して、処理を表示切替処理に戻す。
【００４１】
図５は、表示切替処理で呼び出されるストップウォッチ表示処理及びタイマ表示処理のＣＰＵ４１による制御手順を示すフローチャートである。
【００４２】
図５（ａ）に示すように、ストップウォッチ表示処理が呼び出されると、ＣＰＵ４１は、ＲＡＭ４３からストップウォッチ機能で計数中（継続中又は停止中を問わない）の計数時間を読み出して取得する（ステップＳ３０１）。ＣＰＵ４１は、計数時間に応じた指針移動先位置を設定する（ステップＳ３０２）。ＣＰＵ４１は、早送りモードを「時間」に設定し（ステップＳ３０３）、指針早送り処理を呼び出して実行する（ステップＳ３０４）。その終了後、ＣＰＵ４１は、ストップウォッチ表示処理を終了して、処理を表示切替処理に戻す。
【００４３】
また、図５（ｂ）に示すように、タイマ表示処理が呼び出されると、ＣＰＵ４１は、ＲＡＭ４３から計数中のタイマ残時間を読み出して取得する（ステップＳ４０１）。ＣＰＵ４１は、当該残時間に応じた指針移動先位置を設定する（ステップＳ４０２）。ＣＰＵ４１は、早送りモードを「時間」に設定し（ステップＳ４０３）、指針早送り処理を呼び出して実行する（ステップＳ４０４）。その終了後、ＣＰＵ４１は、タイマ表示処理を終了して、処理を表示切替処理に戻す。
【００４４】
図６は、表示切替処理で呼び出されるアラーム表示処理のＣＰＵ４１による制御手順を示すフローチャートである。
【００４５】
アラーム表示処理が呼び出されると、ＣＰＵ４１は、ＲＡＭ４３からアラーム設定時刻を読み出して取得する（ステップＳ５０１）。ＣＰＵ４１は、当該アラーム設定時刻に応じた指針移動先位置を設定する（ステップＳ５０２）。ＣＰＵ４１は、早送りモードを「時刻」に設定し（ステップＳ５０３）、指針早送り処理を呼び出して実行する（ステップＳ５０４）。その終了後、ＣＰＵ４１は、アラーム表示処理を終了して、処理を表示切替処理に戻す。
【００４６】
図７は、ホーム時刻表示処理、世界時計表示処理、ストップウォッチ表示処理、タイマ表示処理及びアラーム表示処理でそれぞれ呼び出される指針早送り処理、及び当該指針早送り処理で呼び出される時刻早送り処理のＣＰＵ４１による制御手順を示すフローチャートである。また、図８は、指針早送り処理で呼び出される時間早送り処理のＣＰＵ４１による制御手順を示すフローチャートである。
【００４７】
図７（ａ）に示すように、指針早送り処理が呼び出されると、ＣＰＵ４１は、早送りモードが「時刻」であるか否かを判別する（ステップＳ６０１）。早送りモードが「時刻」であると判別された場合、即ち、早送りによる表示内容の切り替え後における表示対象の種別が時刻に係るものである場合には（ステップＳ６０１で“ＹＥＳ”）、ＣＰＵ４１は、時刻早送り処理を呼び出して実行し（ステップＳ６０２）、その終了後、指針早送り処理を終了して処理を親処理に戻す。早送りモードが「時刻」ではない、即ち、「時間」であると判別された場合（早送りによる表示内容の切り替え後における表示対象の種別が時間に係るものである場合）には（ステップＳ６０１で“ＮＯ”）、ＣＰＵ４１は、時間早送り処理を呼び出して実行し（ステップＳ６０３）、その終了後、指針早送り処理を終了して処理を親処理に戻す。
【００４８】
ステップＳ６０２の処理で時刻早送り処理が呼び出されると、図７（ｂ）に示すように、ＣＰＵ４１は、先ず、駆動回路４９に制御信号を出力して秒針１３を指針移動先位置まで正転早送りを行わせる（ステップＳ６２１）。早送り速度は、最速の６４ｐｐｓとすることが出来る。
【００４９】
ＣＰＵ４１は、時針１１及び分針１２の現在位置と移動先位置とをそれぞれ比較して正転方向と逆転方向で最短移動時間（移動に要する最短時間）が短くなる方向を選択し、当該選択された回転方向と移動ステップ数とを個別に設定する（ステップＳ６２２）。上述のように、ここでは正転方向に逆転方向の倍速で早送りが可能であるので、現在位置を基準として移動先位置が正転方向に２４０ステップ以内の場合には正転方向が選択され、逆転方向に１２０ステップ未満の場合には逆転方向が選択される。ＣＰＵ４１は、逆転方向に移動させる指針があるか否かを判別し（ステップＳ６２３）、あると判別された場合には（ステップＳ６２３で“ＹＥＳ”）、ＣＰＵ４１は、当該逆転移動させる指針のバックラッシュステップ数をＲＯＭ４２から読み出して、当該バックラッシュステップ数を移動ステップ数に加算する（ステップＳ６２４）。即ち、逆転早送りを行わせる場合、当該逆転早送りの対象の指針は、メモリ上では、当初の移動先位置をバックラッシュステップ数超過した位置まで早送りされることになる。それから、ＣＰＵ４１の処理は、ステップＳ６２５に移行する。逆転方向に移動させる指針がないと判別された場合には（ステップＳ６２３で“ＮＯ”）、ＣＰＵ４１の処理は、ステップＳ６２５に移行する。
【００５０】
ステップＳ６２５の処理に移行すると、ＣＰＵ４１は、駆動回路４９に制御信号を出力し、時針１１及び分針１２を並列でそれぞれ指針移動先位置まで最速の早送り速度、即ち、正転の場合には６４ｐｐｓ、逆転の場合には３２ｐｐｓで早送りさせる（ステップＳ６２５）。早送りが終了すると、ＣＰＵ４１は、逆転移動させた指針があるか否かを判別し（ステップＳ６２６）、あると判別された場合には（ステップＳ６２６で“ＹＥＳ”）、当該逆転移動させた指針をバックラッシュステップ数正転方向に６４ｐｐｓで早送りさせる（ステップＳ６２７）。そして、ＣＰＵ４１は、時刻早送り処理を終了して処理を指針早送り処理に戻す。逆転移動させた指針がないと判別された場合には（ステップＳ６２６で“ＮＯ”）、ＣＰＵ４１は、時刻早送り処理を終了して処理を指針早送り処理に戻す。
【００５１】
指針早送り処理のステップＳ６０３で時間早送り処理が呼び出されると、図８に示すように、ＣＰＵ４１は、先ず、駆動回路４９に制御信号を出力して秒針１３を指針移動先位置に６４ｐｐｓで正転早送りさせる（ステップＳ６３１）。ＣＰＵ４１は、時分針の現在位置に該当する時刻（連動位置）と、移動先位置の時刻（連動位置）とを比較し、時針１１を分針１２に連動させて時刻を早送り（連動動作での早送り）させた場合により短い時間（連動移動時間）で移動先位置に到達する回転方向を選択し、当該回転方向と、移動ステップ数（連動移動ステップ数、即ち、分針１２の移動ステップ数）とを設定する（ステップＳ６３２）。
【００５２】
ＣＰＵ４１は、時針１１及び分針１２の回転方向が逆転方向に設定されたか否かを判別する（ステップＳ６３３）。逆転方向に設定されたと判別された場合には（ステップＳ６３３で“ＹＥＳ”）、ＣＰＵ４１は、ＲＯＭ４２からこれら時針１１及び分針１２のバックラッシュステップ数を読み出し、駆動回路４９に制御信号を出力して、時針１１及び分針１２をそれぞれバックラッシュステップ数３２ｐｐｓで逆転早送りさせる（ステップＳ６３４）（空回り中には、実際には時針１１及び分針１２は回転しない）。それから、ＣＰＵ４１の処理は、ステップＳ６３５に移行する。早送り方向が逆転方向に設定されていない、即ち、正転方向に設定されたと判別された場合には（ステップＳ６３３で“ＮＯ”）、ＣＰＵ４１の処理は、ステップＳ６３５に移行する。
【００５３】
ステップＳ６３５の処理に移行すると、ＣＰＵ４１は、駆動回路４９に制御信号を出力し、時針１１と分針１２とが共に指針移動先位置（移動先の連動位置）に到達するまで（即ち、分針１２は、時針１１の移動ステップ数に応じた回数の周回動作の後に）、設定された連動移動ステップ数分連動動作での早送りを行わせる（ステップＳ６３５）。早送りが終了すると、ＣＰＵ４１は、時針１１及び分針１２を逆転方向に早送りさせたか否かを判別する（ステップＳ６３６）。逆転方向に早送りさせたと判別された場合には（ステップＳ６３６で“ＹＥＳ”）、ＣＰＵ４１は、駆動回路４９に制御信号を出力し、時針１１及び分針１２をそれぞれバックラッシュステップ数正転方向に６４ｐｐｓで早送り移動させる（ステップＳ６３７）。即ち、ここでも時針１１及び分針１２は、空回り中には実際には移動しない。そして、ＣＰＵ４１は、時間早送り処理を終了して処理を指針早送り処理に戻す。逆転方向に早送りさせていないと判別された場合には（ステップＳ６３６で“ＮＯ”）、ＣＰＵ４１は、時間早送り処理を終了して処理を指針早送り処理に戻す。
【００５４】
以上のように、第１実施形態のアナログ電子時計１は、回動可能に設けられた指針１１〜１３と、指針１１〜１３による表示内容を切り替える場合に、当該切り替え後の表示対象の種別が時刻であるか時間であるかに応じて異なる早送り動作を行わせるＣＰＵ４１と、を備える。
これにより、小窓９内で動作する小さなモード指針１５が見難い場合でも、表示対象の種別が判別可能となるので、表示内容の切替時における切替表示対象がより分かりやすくなる。
【００５５】
また、ＣＰＵ４１は、表示内容の切り替えに係る早送り動作において、最短時間で時針１１及び分針１２を切り替え後の表示内容に対応する位置に移動させることの出来る回転方向にこれら時針１１及び分針１２を回動させるので、表現上必要ない部分では早送り時間を長引かせない。
【００５６】
また、複数の指針１１〜１３が設けられて、秒針１３は１秒単位で表示を行い、分針１２は１０秒単位で表示を行い、また、時針１１は２分単位で表示を行うように定められ、ＣＰＵ４１は、表示内容の切り替えに係る早送り動作において、切り替え後の表示対象の種別が時間である場合にのみ、複数の指針１１〜１３のうち少なくとも時針１１及び分針１２を単位時間の時間比に従った動作間隔で連動して早送り移動させ、切り替え後の表示対象の種別が時刻である場合には、複数の指針１１〜１３を各々独立に切り替え後の表示内容に対応する位置に早送り移動させる。
このように、経過時間に応じた時間表示の流れに沿って早送り動作を行うことにより、切り替え後の表示対象が時間に係るストップウォッチの計数時間やタイマの残時間であることをユーザがより感覚的に理解することが出来る。
【００５７】
また、ユーザ操作を受け付ける操作部４７を備え、ＣＰＵ４１は、操作部４７への所定の入力操作に応じて表示対象を切り替える。このようにユーザが表示対象（機能）を切り替える場合に、切替対象が何れであるかを指針表示のみで感覚的にユーザに示すことが出来る。
【００５８】
［第２実施形態］
次に、第２実施形態のアナログ電子時計１について説明する。
第２実施形態のアナログ電子時計１の構成は、第１実施形態のアナログ電子時計１と同一の構成であり、同一の符号を用いることとして説明を省略する。
【００５９】
次に、第２実施形態のアナログ電子時計１での表示切替動作について説明する。
第２実施形態のアナログ電子時計１で実行される表示切替処理は、指針早送り処理で呼び出される時間早送り処理の処理内容が異なる点を除いて同一であり、同一の処理内容には同一の符号を付すこととして詳しい説明を省略する。
図９は、第２実施形態のアナログ電子時計１で実行される指針早送り処理で呼び出される時間早送り処理のＣＰＵ４１による制御手順を示すフローチャートである。
【００６０】
時間早送り処理が呼び出されると、ＣＰＵ４１は、駆動回路４９に制御信号を出力し、時針１１、分針１２及び秒針１３をそれぞれ並列で０時０分０秒の位置（所定の初期位置）まで６４ｐｐｓで正転で早送り（帰零）を行わせる（ステップＳ６３０）。ＣＰＵ４１は、駆動回路４９に制御信号を出力し、秒針１３を指針移動先位置まで６４ｐｐｓで正転早送りさせる（ステップＳ６３１ａ）。次いで、ＣＰＵ４１は、駆動回路４９に制御信号を出力し、時針１１と分針１２が共に指針移動先位置（移動先の連動位置）に到達するまで、即ち、指示させる経過時間の値に対応するステップ数連動動作で早送りさせる（ステップＳ６３５ａ）。そして、ＣＰＵ４１は、時間早送り処理を終了して、処理を指針早送り処理に戻す。
【００６１】
以上のように、第２実施形態のアナログ電子時計１では、ＣＰＵ４１は、表示内容の切り替えに係る早送り動作において、切り替え後の表示対象の種別が時間である場合にのみ、指針１１〜１３を所定の初期位置に早送り移動、即ち、帰零させた後に、当該指針１１〜１３を表示対象の切り替え後の表示内容に対応する位置へ早送り移動させる。
このように時間経過に係る早送りをその初期位置から行わせるように一度指針１１〜１３を移動させることで、より明確に時間の表示への切替であることをユーザに示し、時刻の表示への切替と差別化することが出来る。
【００６２】
［第３実施形態］
次に、第３実施形態のアナログ電子時計について説明する。
第３実施形態のアナログ電子時計１の構成は、第１実施形態のアナログ電子時計１の構成と同一であり、同一の符号を用いることとして説明を省略する。
【００６３】
次に、本実施形態のアナログ電子時計１における表示切替動作について説明する。
本実施形態のアナログ電子時計１で実施される表示切替処理は、指針早送り処理で呼び出される時刻早送り処理と時間早送り処理の内容が異なる点を除き同一であり、同一の処理内容には同一の符号を付して説明を省略する。
【００６４】
図１０は、第３実施形態のアナログ電子時計で実行される指針早送り処理で呼び出される時刻早送り処理のＣＰＵ４１による制御手順を示すフローチャートである。
この時刻早送り処理では、第１実施形態のアナログ電子時計で呼び出された時刻早送り処理に対して、ステップＳ６２５の処理の代わりにステップＳ６４１〜Ｓ６４９の処理が追加されている。その他の同一の処理については、詳しい説明を省略する。
【００６５】
ステップＳ６２３の判別処理で“ＮＯ”に分岐し、又はステップＳ６２４の処理が終了すると、ＣＰＵ４１は、時針１１及び分針１２が何れも（分針１２は、時針１１の移動ステップ数に応じた回数の周回の後に）指針移動先位置に到達したか否かを判別する（ステップＳ６４１）。到達していないと判別された場合には（ステップＳ６４１で“ＮＯ”）、ＣＰＵ４１は、各指針１１、１２の早送り速度に応じた少なくとも何れかの移動タイミングであるか否かを判別する（ステップＳ６４２）。移動タイミングではないと判別された場合には（ステップＳ６４２で“ＮＯ”）、ＣＰＵ４１の処理は、ステップＳ６４１に戻る。
【００６６】
少なくとも何れかの指針の移動タイミングであると判別された場合には（ステップＳ６４２で“ＹＥＳ”）、ＣＰＵ４１は、制御信号を駆動回路４９に出力し、当該移動タイミングの指針を設定された移動方向に１ステップ移動させる（ステップＳ６４３）。ＣＰＵ４１は、移動させた指針の残り移動ステップ数から１減じる（ステップＳ６４４）。ここで、残り移動ステップ数は、ステップＳ６２２の処理で移動ステップ数が設定された際に、当該移動ステップ数がそのまま初期値として設定され、ステップＳ６２４で移動ステップ数が加算された場合には、残り移動ステップ数も同数加算される。
【００６７】
ＣＰＵ４１は、移動させた指針の残り移動ステップ数が１８０未満であるか否かを判別する（ステップＳ６４５）。１８０未満ではないと判別された場合には（ステップＳ６４５で“ＮＯ”）、ＣＰＵ４１は、当該指針の早送り速度を３２ｐｐｓに設定し（ステップＳ６４６）、処理をステップＳ６４１に戻す。１８０未満であると判別された場合には（ステップＳ６４５で“ＹＥＳ”）、ＣＰＵ４１は、残り移動ステップ数が４５未満であるか否かを判別する（ステップＳ６４７）。４５未満ではないと判別された場合には（ステップＳ６４７で“ＮＯ”）、ＣＰＵ４１は、早送り速度を２４ｐｐｓに設定し（ステップＳ６４８）、処理をステップＳ６４１に戻す。４５未満であると判別された場合には（ステップＳ６４７で“ＹＥＳ”）、ＣＰＵ４１は、早送り速度を１６ｐｐｓに設定し（ステップＳ６４９）、処理をステップＳ６４１に戻す。
【００６８】
ステップＳ６４１の判別処理で、時針１１及び分針１２が何れも指針移動先位置に到達したと判別された場合には（ステップＳ６４１で“ＹＥＳ”）、ＣＰＵ４１の処理は、ステップＳ６２６に移行する。
【００６９】
即ち、この時刻早送り処理では、早送りが開始されてから終了するまでの早送り動作中に、当該早送り動作の残り移動ステップ数（残りの移動量）に基づいて早送り速度が漸減（変化）するように次の移動タイミングまでの動作間隔を広げていく減速動作（変速動作）が行われる。この減速動作は、早送り動作の全体で行われなくても良く、例えば、残り移動ステップ数が移動ステップ数の半分以下になってから行われることとしても良い。
【００７０】
図１１は、第３実施形態のアナログ電子時計１で実行される指針早送り処理で呼び出される時間早送り処理のＣＰＵ４１による制御手順を示すフローチャートである。
【００７１】
この時間早送り処理は、第１実施形態のアナログ電子時計１で実行される時間早送り処理におけるステップＳ６３５の処理がステップＳ６３５ｂの処理に置き換えられた点を除いて同一、同一の処理内容には同一の符号を付して説明を省略する。
【００７２】
この時間早送り処理では、ステップＳ６３３で“ＮＯ”に分岐し、又はステップＳ６３４の処理が終了すると、ＣＰＵ４１は、駆動回路４９に制御信号を出力して、時針１１と分針１２が連動して、即ち、分針１２が時針１１の移動ステップ数に応じた回数周回した後に共に移動先位置に到達するまで、時針１１と分針１２を連動動作で早送り（３２ｐｐｓ）させる（ステップＳ６３５ｂ）。即ち、ＣＰＵ４１は、早送りの方向に関わらず、連動動作による早送りの早送り速度を固定値とする。
【００７３】
以上のように、第３実施形態のアナログ電子時計１では、ＣＰＵ４１は、切り替え後の表示対象の種別が時刻である場合に、指針１２、１３の早送り速度を切り替えに係る早送り動作中に変化させる。これにより、時間経過の場合の早送りと明確な差別化を行うことが出来る。
【００７４】
また、ＣＰＵ４１により制御される早送り速度の変化には、表示内容の切り替えに係る早送り動作における指針１１、１２の残りの移動量に基づいて早送り速度を変化させる変速動作が含まれる。このように速度と残り移動量とを対応させることで、単にユーザに感覚的に表示対象の種別を示すという目的を果たすだけではなく、早送りの終了までの時間を示唆することによるユーザの移動待ち時間の無駄やストレスの軽減を図ることが出来る。
【００７５】
また、ＣＰＵ４１は、表示内容の切り替えに係る早送り動作において時針１１及び分針１２を連動動作で早送り移動させない場合、即ち、時刻早送りの場合には、当該時針１１及び分針１２の早送り速度を早送り動作中に変化させる。一方で、ＣＰＵ４１は、時針１１及び分針１２に連動して早送り動作を行わせる場合、即ち、時間早送りの場合には、時針１１及び分針１２の早送り速度を早送り動作中に変化させない。このように、時間早送りに係る経過時間に応じた時間表示の流れに沿って早送り動作を行うというコンセプトに沿って、時間早送りと時刻早送りとで２種類の差異点を設けるので、より明確に、ユーザに対して何れの早送り動作であるかを感覚的に知得させることが出来る。
【００７６】
［第４実施形態］
次に、第４実施形態のアナログ電子時計について説明する。
この第４実施形態のアナログ電子時計１の構成は、第１実施形態のアナログ電子時計１の構成と同一であり、同一の符号を用いることとして説明を省略する。
【００７７】
次に、本実施形態のアナログ電子時計１における表示切替動作について説明する。
本実施形態のアナログ電子時計１で実施される表示切替処理は、指針早送り処理で呼び出される時刻早送り処理が第１実施形態〜第３実施形態の指針早送り処理で呼び出されるものと異なる点を除いて同一であり、同一の処理内容には同一の符号を付して説明を省略する。
【００７８】
図１２は、第４実施形態の指針早送り処理で呼び出される時刻早送り処理のＣＰＵ４１による制御手順を示すフローチャートである。
この時刻早送り処理では、時針１１と分針１２を連動動作で早送りさせる。これに伴い、第３実施形態の時刻早送り処理におけるステップＳ６２２〜Ｓ６２７の処理がステップＳ６３２〜Ｓ６３７の処理に置き換えられ、ステップＳ６４２及びステップＳ６４３の処理がそれぞれステップＳ６４２ｃ、Ｓ６４３ｃに置き換えられている。その他の処理については、第３実施形態のアナログ電子時計１で実行される時刻早送り処理と同一であり、また、ステップＳ６３２〜Ｓ６３７の処理については、第３実施形態のアナログ電子時計１で実行される時間早送り処理と同一であるので、詳しい説明を省略する。
【００７９】
ステップＳ６４１の処理で、時分針共指針移動先位置に到達していない、即ち、分針１２が設定された連動移動ステップ数動作されていないと判別された場合には（ステップＳ６４１で“ＮＯ”）、ＣＰＵ４１は、少なくとも分針１２の移動タイミングであるか否かを判別する（ステップＳ６４２ｃ）。移動タイミングではないと判別された場合には（ステップＳ６４２ｃで“ＮＯ”）、ＣＰＵ４１の処理は、ステップＳ６４１に戻る。
【００８０】
少なくとも分針１２の移動タイミングであると判別された場合には（ステップＳ６４２ｃで“ＹＥＳ”）、ＣＰＵ４１は、駆動回路４９に制御信号を出力し、分針１２を設定された回転方向に１ステップ移動させると共に、時針１１を連動して移動させるタイミングの場合には、併せて時針１１を設定された回転方向に１ステップ移動させる（ステップＳ６４３ｃ）。それから、ＣＰＵ４１の処理は、ステップＳ６４４に移行する。
【００８１】
以上のように、第４実施形態のアナログ電子時計１では、ＣＰＵ４１は、早送り動作において、複数の指針１１〜１３のうち少なくとも２つ（時針１１及び分針１２）を単位時間の時間比に従った動作間隔で連動して早送り移動させる。このように、時刻、時間の早送りとも、時間の流れに従って早送り動作をさせても良い。或いは、もともと時針１１及び分針１２が共通のステッピングモータの動作に対応してこれら時針１１及び分針１２が連動して回転動作する輪列機構の構成であっても良い。このような場合でも、他の動作、ここでは、移動速度の漸減動作を時刻早送り処理でのみ行わせることで、同様にユーザに対し、表示対象の種別を感覚的に示すことが出来る。
【００８２】
なお、本発明は、上記実施の形態に限られるものではなく、様々な変更が可能である。
例えば、上記実施の形態では、経過時間に係る表示に切り替える場合に、時間の流れに応じて連動動作や固定速度での早送りを行わせることとしたが、時刻の経過の方が不変であって連動動作に相応しいと考える場合には、時刻の変更を連動動作や固定速度で行い、時間の変更を各指針独立で行わせ、また、早送り速度を変化させることとしても良い。また、何れか一方に対して設定を用いるかについて、ユーザに操作部４７への入力操作により選択設定を行わせることが可能であっても良い。
【００８３】
また、上記実施の形態では、時刻及び時間の経過として時分（時針１１及び分針１２）の切り替えを異ならせる場合について説明したが、日以上や秒以下の表示の変更についても同様に表示切替動作の差別化を行うことが出来る。この場合、早送りの処理を異ならせる指針の形状（日車１４のような回転円板形状のものなど、回転して一の情報を示すもの全般を含む）や本数は、適宜変更可能である。
【００８４】
また、上記実施の形態では、早送りの順番として、秒針１３を先に移動させてから時針１１と分針１２を移動させることとしたが、これとは反対の順番であっても良い。秒針１３を後に早送り移動させてからそのまま１秒ごとに運針に移行させることで、通常の時刻表示や経過時間の計数表示と繋げても良い。
【００８５】
また、上記実施の形態では、最短時間で表示内容に対応する位置に到達可能な回転方向を選択したり、第２実施形態において時間早送り処理で正転方向に回転させることとしたりしたが、例えば、ストップウォッチ機能に係る早送りの場合には正転方向に早送りさせ、タイマ機能に係る早送りの場合には逆転方向に回転させる、というように、更に異ならせても良い。
【００８６】
また、上記実施の形態では、表示対象の変更による表示内容の切り替えを例に挙げて説明したが、これに限られない。同一の表示対象について表示内容を切り替える場合、即ち、通常の機能の実行に係る時間経過などに応じた表示内容の変更ではない場合にも、同様に早送り動作を異ならせることが出来る。例えば、ストップウォッチ機能において、ラップタイムやスプリットタイムの履歴の表示を順番に切り替える場合や、アラーム機能において複数の設定時刻の表示を順番に切り替える場合にも、本発明を適用してそれぞれ時間早送り処理や時刻早送り処理を用いた早送り動作を行わせることが出来る。
【００８７】
また、第２実施形態のアナログ電子時計１において、切り替え後の表示対象がタイマ機能に係る表示の場合には、初期位置への早送り時に帰零させるのではなく、当初設定された計数時間に応じた位置に指針を移動させ、その後、現在計数中又は中断されているタイマ残時間の位置まで当該指針を逆転早送りさせることとしても良い。
【００８８】
また、上記実施の形態では、残りの移動ステップ数に応じて早送り速度を減少させたが、逆に早送り速度を上昇させても良い。或いは、残り移動ステップ数の半分の時点を基準として早送り速度を上昇させた後に減少させても良い。
【００８９】
また、上述の各実施の形態において、早送り速度の変化有無、帰零動作の有無、分針１２及び時針１１の連動動作による早送りと独立した早送り、及び回転方向の設定を異ならせる点について説明したが、これらの処理の差異は、時間早送りと時刻早送りのコンセプトに従ってユーザの主観により任意に組み合わせて設定することが可能である。
【００９０】
また、ここでは、アナログ電子時計として回転円板（日車１４）を含む指針１１〜１５のみで時刻や時間を表示するものを示したが、これらの指針で表示を行う機能を備えたものであれば、デジタル表示画面を用いた表示と併用された電子時計もアナログ電子時計に含まれる。
また、アナログ電子時計は、腕時計型のものに限られず、表示内容の切り替えが行われるものであれば、携帯型時計、置時計や掛け時計などであっても良い。
その他、上記実施の形態で示した具体的な構成や数値などの細部は、本発明の趣旨を逸脱しない範囲で適宜変更可能である。
【００９１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９２】
［付記］
＜請求項１＞
回動可能に設けられた指針と、
前記指針による表示内容を切り替える場合に、当該切り替え後の表示対象の種別が時刻であるか時間であるかに応じて異なる早送り動作を行わせる指針早送り制御手段と、
を備えることを特徴とするアナログ電子時計。
＜請求項２＞
前記指針早送り制御手段は、前記切り替え後の表示対象の種別が時刻である場合及び時間である場合のうち何れか一方で、前記指針の早送り速度を前記早送り動作中に変化させることを特徴とする請求項１記載のアナログ電子時計。
＜請求項３＞
前記指針早送り制御手段による前記早送り速度の変化には、前記早送り動作における前記指針の残りの移動量に基づいて前記早送り速度を変化させる変速動作が含まれることを特徴とする請求項２記載のアナログ電子時計。
＜請求項４＞
前記指針早送り制御手段は、前記切り替え後の表示対象の種別が時刻である場合及び時間である場合のうち何れか一方で、前記指針を所定の初期位置に早送り移動させた後に、当該指針を前記切り替え後の表示内容に対応する位置へ早送り移動させる前記早送り動作を行わせることを特徴とする請求項１又は２記載のアナログ電子時計。
＜請求項５＞
前記指針早送り制御手段は、前記切り替え後の表示対象の種別が時間である場合には、前記指針を所定の初期位置に早送り移動させた後に、当該指針を前記切り替え後の表示内容に対応する位置へ早送り移動させる前記早送り動作を行わせることを特徴とする請求項４記載のアナログ電子時計。
＜請求項６＞
前記指針早送り制御手段は、前記早送り動作において、最短時間で前記指針を前記切り替え後の表示内容に対応する位置に移動させることの出来る回転方向に前記指針を回動させることを特徴とする請求項１〜５の何れか一項に記載のアナログ電子時計。
＜請求項７＞
前記指針は、複数設けられて各々異なる単位時間ごとの表示を行うように定められ、
前記指針早送り制御手段は、前記早送り動作において、前記複数の指針のうち少なくとも２つを前記単位時間の時間比に従った動作間隔で連動して早送り移動させる
ことを特徴とする請求項１〜６の何れか一項に記載のアナログ電子時計。
＜請求項８＞
前記指針は、複数設けられて各々異なる単位時間ごとの表示を行うように定められ、
前記指針早送り制御手段は、前記早送り動作において、前記切り替え後の表示対象の種別が時刻である場合及び時間である場合のうち何れか一方で、前記複数の指針のうち少なくとも２本を前記単位時間の時間比に従った動作間隔で連動して早送り移動させ、他方では、前記複数の指針を各々独立に前記切り替え後の表示内容に対応する位置に早送り移動させる
ことを特徴とする請求項１〜６の何れか一項に記載のアナログ電子時計。
＜請求項９＞
前記指針早送り制御手段は、前記早送り動作において前記少なくとも２本の指針を連動して早送り移動させない場合には、当該少なくとも２本の指針の早送り速度を前記早送り動作中に変化させ、前記少なくとも２本の指針に連動して早送り動作を行わせる場合には、当該少なくとも２本の指針の早送り速度を前記早送り動作中に変化させないことを特徴とする請求項８記載のアナログ電子時計。
＜請求項１０＞
ユーザ操作を受け付ける操作受付手段を備え、
前記指針早送り制御手段は、前記操作受付手段への所定の入力操作に応じて表示対象を切り替える
ことを特徴とする請求項１〜９の何れか一項に記載のアナログ電子時計。
【符号の説明】
【００９３】
１     アナログ電子時計
６     ケーシング
７     文字盤
８     開口部
９     小窓
１１   時針
１２   分針
１３   秒針
１４   日車
１５   モード指針
３１〜３５    輪列機構
４１   ＣＰＵ
４２   ＲＯＭ
４３   ＲＡＭ
４４   発振回路
４５   分周回路
４６   計時回路
４７   操作部
４８   報知部
４９   駆動回路
５０   電源部
５１〜５５    ステッピングモータ
Ｂ１、Ｂ２    押しボタンスイッチ
Ｃ１   りゅうず
【図１】
2019219427.tif 000003
【図２】
2019219427.tif 000004
【図３】
2019219427.tif 000005
【図４】
2019219427.tif 000006
【図５】
2019219427.tif 000007
【図６】
2019219427.tif 000008
【図７】
2019219427.tif 000009
【図８】
2019219427.tif 000010
【図９】
2019219427.tif 000011
【図１０】
2019219427.tif 000012
【図１１】
2019219427.tif 000013
【図１２】
2019219427.tif 000014
【手続補正書】
【提出日】令和1年10月24日(2019.10.24)
【手続補正２】
【補正対象書類名】明細書
【補正対象項目名】０００１
【補正方法】変更
【補正の内容】
【０００１】
この発明は、指針を用いて時刻の表示を行うアナログ電子時計及び指針運針制御方法に関する。
【手続補正３】
【補正対象書類名】明細書
【補正対象項目名】０００６
【補正方法】変更
【補正の内容】
【０００６】
この発明の目的は、表示内容の切替時における切替表示対象をより分かりやすくすることのできるアナログ電子時計及び指針運針制御方法を提供することにある。
【手続補正４】
【補正対象書類名】明細書
【補正対象項目名】０００７
【補正方法】変更
【補正の内容】
【０００７】
上記目的を達成するため、本発明は、
回動する指針と、
前記指針による表示内容を切り替える場合に、当該切り替え後の表示対象の種別が時刻であるか時間であるかに応じて異なる運針動作を行わせる指針運針制御手段と、
を備え、
前記指針運針制御手段は、前記切り替え後の表示対象の種別が時刻である場合及び時間である場合のうち少なくとも何れか一方で、前記指針の運針速度を前記運針動作中に変化させることを特徴とするアナログ電子時計である。
【手続補正５】
【補正対象書類名】特許請求の範囲
【補正対象項目名】全文
【補正方法】変更
【補正の内容】
【特許請求の範囲】
【請求項１】
回動する指針と、
前記指針による表示内容を切り替える場合に、当該切り替え後の表示対象の種別が時刻であるか時間であるかに応じて異なる運針動作を行わせる指針運針制御手段と、
を備え、
前記指針運針制御手段は、前記切り替え後の表示対象の種別が時刻である場合及び時間である場合のうち少なくとも何れか一方で、前記指針の運針速度を前記運針動作中に変化させることを特徴とするアナログ電子時計。
【請求項２】
前記指針運針制御手段による前記運針速度の変化には、前記運針動作における前記指針の残りの移動量に基づいて前記運針速度を変化させる変速動作が含まれることを特徴とする請求項１記載のアナログ電子時計。
【請求項３】
回動する指針と、
前記指針による表示内容を切り替える場合に、当該切り替え後の表示対象の種別が時刻であるか時間であるかに応じて異なる運針動作を行わせる指針運針制御手段と、
を備え、
前記指針運針制御手段は、前記切り替え後の表示対象の種別が時刻である場合及び時間である場合のうち少なくとも何れか一方で、前記指針を所定の位置に運針移動させた後に、当該指針を前記切り替え後の表示内容に対応する位置へ運針移動させる前記運針動作を行わせることを特徴とするアナログ電子時計。
【請求項４】
前記指針運針制御手段は、前記切り替え後の表示対象の種別が時間である場合には、前記指針を所定の位置に運針移動させた後に、当該指針を前記切り替え後の表示内容に対応する位置へ運針移動させる前記運針動作を行わせることを特徴とする請求項３記載のアナログ電子時計。
【請求項５】
回動する指針と、
前記指針による表示内容を切り替える場合に、当該切り替え後の表示対象の種別が時刻
であるか時間であるかに応じて異なる運針動作を行わせる指針運針制御手段と、
を備え、
前記指針は、複数設けられて各々異なる単位時間ごとの表示を行うように定められ、
前記指針運針制御手段は、前記運針動作において、前記複数の指針のうち少なくとも２つを前記単位時間の時間比に従い連動して運針移動させる
ことを特徴とするアナログ電子時計。
【請求項６】
回動する指針と、
前記指針による表示内容を切り替える場合に、当該切り替え後の表示対象の種別が時刻
であるか時間であるかに応じて異なる運針動作を行わせる指針運針制御手段と、
を備え、
前記指針は、複数設けられて各々異なる単位時間ごとの表示を行うように定められ、
前記指針運針制御手段は、前記運針動作において、前記切り替え後の表示対象の種別が時刻である場合及び時間である場合のうち何れか一方で、前記複数の指針のうち少なくとも２本を前記単位時間の時間比に従い連動して運針移動させ、他方では、前記複数の指針を各々独立に前記切り替え後の表示内容に対応する位置に運針移動させる
ことを特徴とするアナログ電子時計。
【請求項７】
前記指針運針制御手段は、前記運針動作において前記少なくとも２本の指針を連動して運針移動させない場合には、当該少なくとも２本の指針の運針速度を前記運針動作中に変化させ、前記少なくとも２本の指針に連動して運針動作を行わせる場合には、当該少なくとも２本の指針の運針速度を前記運針動作中に変化させないことを特徴とする請求項６記載のアナログ電子時計。
【請求項８】
前記指針運針制御手段は、前記運針動作において、最短時間で前記指針を前記切り替え後の表示内容に対応する位置に移動させることの出来る回転方向に前記指針を回動させることを特徴とする請求項１〜７の何れか一項に記載のアナログ電子時計。
【請求項９】
ユーザ操作を受け付ける操作受付手段を備え、
前記指針運針制御手段は、前記操作受付手段への所定の入力操作に応じて表示対象を切り替える
ことを特徴とする請求項１〜８の何れか一項に記載のアナログ電子時計。
【請求項１０】
回動する指針を備えたアナログ電子時計の指針運針制御方法であって、
前記指針による表示内容を切り替える場合に、当該切り替え後の表示対象の種別が時刻であるか時間であるかに応じて異なる運針動作を行わせる指針運針ステップを含み、
前記指針運針ステップでは、前記切り替え後の表示対象の種別が時刻である場合及び時間である場合のうち何れか一方で、前記指針の運針速度を前記運針動作中に変化させることを特徴とする指針運針制御方法。